【事件の表示】
　特願２０１５−１８０９５４号「遊技機」拒絶査定不服審判事件〔平成２９年３月２３日出願公開、特開２０１７−５５８２６号〕について、次のとおり審決する。
【結　論】
　本件審判の請求は、成り立たない。
【理　由】
第１　手続の経緯 
　本願は、平成２７年９月１４日の出願であって、平成２８年５月２７日付けの拒絶理由の通知に対し、同年８月３日に意見書が提出されるとともに手続補正がなされたが、同年１２月９日付け（発送日：同年１２月２０日）で拒絶査定がなされ、これに対して平成２９年３月１６日に審判の請求がなされると同時に手続補正がなされ、その後当審による同年１０月２６日付けの拒絶理由の通知に対し、同年１２月１４日に意見書が提出されるとともに手続補正がなされ、同年１２月２６日付けの最後の拒絶理由の通知に対し、平成３０年３月５日に意見書が提出されるとともに手続補正（以下「本件補正」という。）がなされたものである。  
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２９年１２月１４日にされた手続補正の特許請求の範囲の請求項１の記載と本件補正後の特許請求の範囲の請求項１の記載は、それぞれ以下のとおりである（下線部は補正箇所を示す。また、Ａ〜Ｉ２については発明を分説するため当審で付与した。）。 
（本件補正前） 
「【請求項１】 
　通常遊技状態又は通常遊技状態より遊技者に有利な有利遊技状態の何れかの遊技状態に制御される遊技機において、
　判定条件の成立に基づき遊技者に所定の利益を付与する特別遊技を行うか否かの特別遊技判定を実行する特別遊技判定手段と、
　表示手段において複数の識別図柄の変動表示を行った後に当該特別遊技判定の判定結果を示す停止態様で当該複数の識別図柄を停止表示させる変動演出を行う演出制御手段と、
　演出モードを設定する演出モード設定手段と、を備え、
　前記演出モードは、
　第１演出モードと、当該第１演出モードとは異なる第２演出モードと、を含み、
　前記変動演出中に実行される演出には、前記識別図柄の停止表示を行う前に実行する前記特別遊技の実行の確定を告知する確定演出が含まれ、
　前記第１演出モードと前記第２演出モードとは、同一の遊技状態であり、
　前記演出制御手段は、
　前記演出モード設定手段によって前記第１演出モードに設定されている場合、及び、前記第２演出モードに設定されている場合の何れにおいても前記確定演出を実行可能であり、
　前記演出モード設定手段によって前記第１演出モードに設定されている場合と、前記第２演出モードに設定されている場合とで異なる実行割合で前記確定演出を実行可能である、
　ことを特徴とする遊技機。」 
（本件補正後）  
「【請求項１】 
Ａ　通常遊技状態又は通常遊技状態より遊技者に有利な有利遊技状態の何れかの遊技状態に制御される遊技機において、
Ｂ　判定条件の成立に基づき遊技者に所定の利益を付与する特別遊技を行うか否かの特別遊技判定を実行する特別遊技判定手段と、
Ｃ　表示手段において複数の識別図柄の変動表示を行った後に当該特別遊技判定の判定結果を示す停止態様で当該複数の識別図柄を停止表示させる変動演出を行う演出制御手段と、
Ｄ　演出モードを設定する演出モード設定手段と、を備え、
Ｅ　前記演出モードは、
　　第１演出モードと、当該第１演出モードとは異なる第２演出モードと、を含み、
Ｆ　前記変動演出中に実行される演出には、前記識別図柄の停止表示を行う前に実行する前記特別遊技の実行の確定を告知する確定演出が含まれ、
Ｇ　前記第１演出モードと前記第２演出モードとは、同一の遊技状態であり、
Ｈ　前記演出制御手段は、
Ｈ１　前記演出モード設定手段によって前記第１演出モードに設定されている場合、及び、前記第２演出モードに設定されている場合の何れにおいても前記確定演出を実行可能であり、
Ｈ２　前記演出モード設定手段によって前記第１演出モードに設定されている場合と、前記第２演出モードに設定されている場合とで異なる実行割合で前記確定演出を実行可能であり、
Ｉ　
前記確定演出は、
Ｉ１　
第１確定演出と、当該第１確定演出とは異なる第２確定演出と、を含み、
Ｉ２　
所定のリーチ演出の実行前は、前記第１確定演出および前記第２確定演出を実行することが可能である一方、所定のリーチ演出の実行中は、前記第１確定演出を実行することが不可能であるが前記第２確定演出を実行することが可能である、
　ことを特徴とする遊技機。」 
２　補正の適否　　 
　本件補正は、補正前の請求項１に記載された発明特定事項である「確定演出」に関して、「Ｉ　前記確定演出は、Ｉ１　第１確定演出と、当該第１確定演出とは異なる第２確定演出と、を含み、Ｉ２　所定のリーチ演出の実行前は、前記第１確定演出および前記第２確定演出を実行することが可能である一方、所定のリーチ演出の実行中は、前記第１確定演出を実行することが不可能であるが前記第２確定演出を実行することが可能である」いるという限定を付加するものである。
　また、補正前の請求項１に記載された発明と補正後の請求項１に記載された発明とは、産業上の利用分野及び解決しようとする課題が同一である。
　そうすると、本件補正は、特許法第１７条の２第５項第２号に規定する「特許請求の範囲の減縮」を目的とするものに該当する。
　そして、本件補正は、明細書の段落【０４３７】〜【０４４３】、【０７８８】〜【０７９０】、【１０８３】〜【１２０２】及び図４７〜５１、図８１〜８５、図９９〜１０６等の記載に基づいており、新規事項を追加するものではない。 
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１（本件補正後）に記載したとおりのものである。
（２）引用文献に記載された事項 
ア　当審による平成２９年１２月２６日付けの拒絶の理由で引用された本願の出願前に頒布された刊行物である特開２００５−１３１２９７号公報（以下「引用文献１」という。）には、図面と共に次の事項が記載されている（下線は当審で付した。）。 
「【００１５】
　（一般説明）
　図１は、パチンコ遊技機の前面側における基本的な構造を示す。以下、弾球遊技機としていわゆる第１種パチンコ遊技機を例に説明する。
パチンコ遊技機１０
「【００１９】
　図柄表示装置２６は、その画面に第１種特別図柄と呼ばれる図柄（以下、「特別図柄」という）と、
特別図柄に連動する装飾図柄
大当たりを発生させるか否かを示すための
図柄表示装置２６
装飾図柄
「【００２１】
　遊技者が発射ハンドル１７を手で回動させると、その回動角度に応じた強度で上球皿１５に貯留された遊技球が１球ずつ遊技領域３１へ発射され、遊技者が発射ハンドル１７の回動位置を手で固定させると一定の時間間隔で遊技球の発射が繰り返される。遊技領域３１の上部へ発射された遊技球は、複数の遊技釘２０に当たりながらその当たり方に応じた方向へ落下し、一般入賞口２４や始動口２８等の各入賞口へ落入するとその入賞口の種類に応じた賞球が上球皿１５に払い出される。遊技球が始動口２８に落入すると、図柄表示装置２６において特別図柄および装飾図柄が変動表示される。特別図柄および装飾図柄の変動表示は一定時間経過後に停止され、停止時の特別図柄が特定の態様になると、いわゆる「大当たり」として大入賞口２９の開閉動作を開始する。このときスロットマシンのゲームを模した
装飾図柄
３つの図柄
「【００３４】
　メイン制御部７０において、表示処理部７４は、特別図柄の変動表示を開始すると、変動開始指示をサブ制御部８０の表示処理部９２に送り、図柄変動の表示時間のカウントを行う。
サブ制御部８０
装飾図柄の変動表示を開始する
装飾図柄の停止図柄を図柄表示装置２６に表示する
これにより、１回の抽選結果による表示処理が終了する
【００３５】
　
当否決定部６１
特別遊技
大入賞口２９を開放させる
「【００３７】
　確変実行部６８は、確率変動遊技へ移行すべき旨の判定を確変判定部６７から受け取った場合、当否決定部６１がもつ当否テーブルを確率変動遊技用に変更する。例えば、通常遊技時の大当たり値の範囲が０から２０７までであったのに対し、確率変動遊技時の大当たり値の範囲を０から１０９３までとする。これにより、
確率変動遊技時の大当たり確率が、通常遊技時よりも大きくなる
「【００３９】
　図４は、通常遊技から特別遊技へ移行する過程を示すフローチャートである。まず始動入賞検出部５１が
始動口２８への遊技球の落入
図柄が変動中でなければ
乱数を決定し
当否決定部６１が、乱数に基づいて抽選当否を判定する
図柄が変動中であれば
保留されている乱数の数が３個以内であれば
乱数を決定し
【００４０】
　またＳ１０において、始動口２８への入賞がなければ（Ｓ１０のＮ）、当否決定部６１が、特別図柄保留記憶部６３に乱数が保留されているか否かを判定する（Ｓ２２）。保留されていない場合（Ｓ２２のＮ）、本フローを終了し、保留されている場合は（Ｓ２２のＹ）、その時点で行われている
図柄変動が終了するのを待つ
装飾図柄
【００４１】
　前回の図柄変動が終了すると、当否決定部６１は、特別図柄保留記憶部６３に保留されている抽選結果のうち最初に抽選結果として格納された乱数を読み出してその記憶内容を消去し（Ｓ２４）、２番目以降の領域に抽選結果の乱数が格納されていればそれらをそれぞれ一つ前の記憶領域へシフトする（Ｓ２６）。
当否決定部６１
抽選当否を判定し
当否決定部６１による当否判定
特別遊技へ移行
「【００４８】
　図８は、本実施例のパチンコ遊技機１０の前面側における構造を示す。図１に示す構造に追加する構成として、パチンコ遊技機１０は、遊技者からの手動操作による入力を受け付ける入力部１００を備える。
遊技者は、完全先告知モードのオンオフを入力部１００への手動操作を介して行う
【００４９】
　パチンコ遊技機１０は、告知ランプ１０２およびスピーカ１０４をさらに備える。遊技者が完全先告知モードをオンした場合、パチンコ遊技機１０は、図柄表示装置２６への表示、告知ランプ１０２の点灯、スピーカ１０４からの音声出力のいずれかを用いて、
抽選結果が大当たりである旨を遊技者に告知する
図柄表示装置２６において、現在変動表示中の図柄が大当たりとなる旨を示唆する告知画像１０６を表示してもよいし、その表示に合わせて特別な効果音をスピーカ１０４から出力してもよい。告知ランプ１０２を点滅させてもよい
３通りの告知手段のうち
いくつかの手段を合わせて告知
【００５０】
　図９は、本実施例のパチンコ遊技機１０における遊技を制御する構成を中心とした機能ブロック図である。図３と同一の符号を付した構成は、図３で説明した構成と同一または同様の機能を有する。図３に追加する構成として、パチンコ遊技機１０は、入力検出部１１０、告知設定部９３、告知処理部９４および保留数取得部９５を備える。告知設定部９３、告知処理部９４および保留数取得部９５は、
サブ制御部８０
「【００５２】
　
完全先告知モードがオンにされている場合であって、当否決定部６１により当否判定された抽選結果が大当たりであった場合、
その大当たりを告知する
【００５３】
　
完全先告知モード以外のモード
ノーマルモード
完全先告知モードがオフであっても、抽選結果が大当たりであった場合に、
その大当たりを告知するか否かをランダムに決定し、その決定の結果に応じて大当たりを強制的に告知する
　上記記載事項を総合すれば、引用文献１には以下の発明（以下、「引用発明１」という。）が記載されているものと認められる（ａ〜ｉ１については本願補正発明のＡ〜Ｉ１に対応させて付与した。）。
「ａ　確率変動遊技時の大当たり確率が、通常遊技時よりも大きくなる（【００３７】）パチンコ遊技機１０において（【００１５】）、
ｂ　始動口２８へ遊技球が落入し、
　　装飾図柄が変動中でなければ、乱数に基づいて、大入賞口２９を開放させる特別遊技の抽選当否を判定し、
　　装飾図柄が変動中であれば、保留されている乱数の数が３個以内であれば、乱数を決定し、図柄変動が終了するのを待って、大入賞口２９を開放させる特別遊技の抽選当否を判定する当否決定部６１と（【００１９】、【００３５】、【００３９】〜【００４１】）、
ｃ　大当たりを発生させるか否かを示すための特別図柄に連動して、図柄表示装置２６において３つの図柄からなる装飾図柄の変動表示を開始し装飾図柄の停止図柄を表示することにより１回の抽選結果による表示処理を終了するサブ制御部８０と（【００１９】、【００２１】、【００３４】）、
ｄ　完全先告知モードのオンオフを遊技者の手動操作を介して行う入力部１００と（【００４８】）、を備え、
ｅ、ｇ　前記完全先告知モードのオンオフによるモードは【００４８】、
　　完全先告知モードと、完全先告知モード以外のモードであるノーマルモードと、を含み（【００５２】、【００５３】）、
ｆ、ｉ１　前記図柄表示装置２６において、現在変動表示中の図柄が大当たりとなる旨を示唆する告知画像１０６を表示し、その表示に合わせて特別な効果音をスピーカ１０４から出力し、告知ランプ１０２を点滅させる、３通りの告知手段のうちいくつかの手段を合わせて、抽選結果が大当たりである旨を遊技者に告知し（【００４９】）、
ｈ　前記サブ制御部８０は（【００５０】）、
ｈ１、ｈ２　完全先告知モードがオンにされている場合であって、当否決定部６１により当否判定された抽選結果が大当たりであった場合、その大当たりを告知し（【００５２】）、完全先告知モードがオフであっても、抽選結果が大当たりであった場合に、その大当たりを告知するか否かをランダムに決定し、その決定の結果に応じて大当たりを強制的に告知するものである（【００５３】）、
　　パチンコ遊技機１０。」
イ　当審による平成２９年１２月２６日付けの拒絶の理由で引用された本願の出願前に頒布された刊行物である特開２０１１−１０３９４２号公報（以下「引用文献２」という。）には、図面と共に次の事項が記載されている（下線は当審で付した。）。
「【００２４】
　＜１．構成の概要：図１＞
　図１は、本発明の実施形態に係る
パチンコ遊技機
「【００３０】
　この
大当たり変動中に確変大当り確定予告（いわゆる一発告知）をなす場合は、特別図柄の変動開始と同時に告知音が発生されるとともに、特別図柄の変動開始から変動停止までの長い変動期間中（たとえば５分間）にわたって回転灯５２が作動される
「【００３９】
　図４は、通常遊技から特別遊技へ移行する過程を示すフローチャートである。まず始動入賞検出部５１が
始動口２８への遊技球の落入
図柄が変動中でなければ
当否決定部６１が、乱数に基づいて抽選当否を判定する
図柄が変動中であれば
保留されている乱数の数が３個以内であれば
乱数を決定し
【００４０】
　またＳ１０において、始動口２８への入賞がなければ（Ｓ１０のＮ）、当否決定部６１が、特別図柄保留記憶部６３に乱数が保留されているか否かを判定する（Ｓ２２）。保留されていない場合（Ｓ２２のＮ）、本フローを終了し、保留されている場合は（Ｓ２２のＹ）、その時点で行われている
図柄変動が終了するのを待つ
「【００４３】
　特別図柄時短機能は、大当りの抽選結果を導出する特別図柄変動表示ゲームにおける特別図柄の変動時間が短縮された特別図柄時短状態を付与する機能である。特別図柄時短機能が動作中の遊技状態下では、１回の特別図柄変動表示ゲームの時間（特別図柄が変動を開始してから確定表示される迄の時間）が、たとえば、平均時間もしくはリーチなしハズレ変動において、３０秒（時短状態が付与されていないとき）から５秒（時短状態が付与されているとき）に短縮され、単位時間当りの大当り抽選回数が向上する抽選回数向上状態となる。」
　上記記載事項を総合すれば、引用文献２には以下の発明（以下、「引用発明２」という。）が記載されているものと認められる（ｉ２は本願補正発明のＩ２に対応させて付与した。）。
「ｉ２　大当たり変動中に確変大当り確定予告（いわゆる一発告知）をなす場合は、特別図柄の変動開始と同時に告知音が発生されるとともに、特別図柄の変動開始から変動停止までの長い変動期間中（たとえば５分間）にわたって回転灯５２が作動される
　パチンコ遊技機。」
（３）対比 
　本願補正発明と引用発明１とを対比する。なお、見出し（ａ）〜（ｉ１）は、本願補正発明のＡ〜Ｉ１に対応させている。
 
（ａ）引用発明１の「ａ　確率変動遊技時の大当たり確率が、通常遊技時よりも大きくなるパチンコ遊技機１０」は、通常遊技状態又は通常遊技状態より遊技者に有利な確率変動遊技状態の何れかの遊技状態に制御されることは明らかであるから、本願補正発明の「Ａ　通常遊技状態又は通常遊技状態より遊技者に有利な有利遊技状態の何れかの遊技状態に制御される遊技機」に相当する。
（ｂ）引用発明１の「ｂ　始動口２８へ遊技球が落入し、図柄が変動中でなければ、乱数に基づいて、大入賞口２９を開放させる特別遊技の抽選当否を判定し、図柄が変動中であれば、保留されている乱数の数が３個以内であれば、乱数を決定し、図柄変動が終了するのを待って、大入賞口２９を開放させる特別遊技の抽選当否を判定する当否決定部６１」は、本願補正発明の「Ｂ　判定条件の成立に基づき遊技者に所定の利益を付与する特別遊技を行うか否かの特別遊技判定を実行する特別遊技判定手段」に相当する。
（ｃ）引用発明１の「ｃ　大当たりを発生させるか否かを示すための特別図柄に連動して、図柄表示装置２６において３つの図柄からなる装飾図柄の変動表示を開始し装飾図柄の停止図柄を表示することにより１回の抽選結果による表示処理を終了するサブ制御部８０」は、本願補正発明の「Ｃ　表示手段において複数の識別図柄の変動表示を行った後に当該特別遊技判定の判定結果を示す停止態様で当該複数の識別図柄を停止表示させる変動演出を行う演出制御手段」に相当する。
（ｄ）引用発明１の「ｅ、ｇ　完全先告知モードのオンオフによるモード」は、本願補正発明の「Ｄ　演出モード」に相当する。
　したがって、引用発明１の「ｄ　完全先告知モードのオンオフを遊技者の手動操作を介して行う入力部１００」は、本願補正発明の「Ｄ　演出モードを設定する演出モード設定手段」に相当する。
（ｅ）引用発明１の「ｅ、ｇ　完全先告知モードのオンオフによるモード」は、本願補正発明の「前記演出モード」に相当する。
　また、引用発明１において、ｄの「入力部１００」において「遊技者の手動操作を介して行」われる「完全先告知モードのオンオフ」の選択により、「ｅ、ｇ　完全先告知モードと、完全先告知モード以外のモードであるノーマルモードと」が選択されることは明らかである。
　したがって、引用発明１の「ｅ、ｇ　前記完全先告知モードのオンオフによるモードは、完全先告知モードと、完全先告知モード以外のモードであるノーマルモードと、を含」むことは、本願補正発明の「Ｅ　前記演出モードは、第１演出モードと、当該第１演出モードとは異なる第２演出モードと、を含」むことに相当する。
（ｆ）引用発明１の「ｆ、ｉ１　前記図柄表示装置２６において、現在変動表示中の図柄が大当たりとなる旨を示唆する告知画像１０６を表示し、その表示に合わせて特別な効果音をスピーカ１０４から出力し、告知ランプ１０２を点滅させる、３通りの告知手段のうち幾つかの手段を合わせて、抽選結果が大当たりである旨を遊技者に告知する」ことは、本願補正発明の「Ｆ　前記変動演出中に実行される演出には、前記識別図柄の停止表示を行う前に実行する前記特別遊技の実行の確定を告知する確定演出が含まれ」ることに相当する。
（ｇ）引用文献１には、「ａ　確率変動遊技時」及び「通常遊技時」とｅ、ｇの「完全先告知モードと、完全先告知モード以外のモードであるノーマルモードと」の関係についての記載はないが、仮に「ａ　確率変動遊技時」及び「通常遊技時」とｅ、ｇの「完全先告知モードと、完全先告知モード以外のモードであるノーマルモードと」に１対１対応の関係があるとすると、ｄの「入力部１００」において「遊技者の手動操作を介して行」われる「完全先告知モードのオンオフ」の選択によりｅ、ｇの「完全先告知モードと、完全先告知モード以外のモードであるノーマルモードと」を選択することが無意味となりこの仮定は背理であるから、少なくとも、「ａ　確率変動遊技時」または「通常遊技時」のいずれかの遊技状態のときに、ｅ、ｇの「完全先告知モードと、完全先告知モード以外のモードであるノーマルモードと」が選択可能であることは明らかである。
　したがって、引用発明１のｅ、ｇの「完全先告知モードと、完全先告知モード以外のモードであるノーマルモードと」は、本願補正発明の「Ｇ　前記第１演出モードと前記第２演出モードとは、同一の遊技状態であ」るという機能を有するといえる。
（ｈ）引用発明１の「ｈ　前記サブ制御部８０」は、本願補正発明の「Ｈ　前記演出制御手段」に相当する。
（ｈ１）引用発明１の「ｈ１、ｈ２　完全先告知モードがオンにされている場合であって、当否決定部６１により当否判定された抽選結果が大当たりであった場合、その大当たりを告知し、完全先告知モードがオフであっても、抽選結果が大当たりであった場合に、その大当たりを告知するか否かをランダムに決定し、その決定の結果に応じて大当たりを強制的に告知する」ことは、本願補正発明の「Ｈ１　前記演出モード設定手段によって前記第１演出モードに設定されている場合、及び、前記第２演出モードに設定されている場合の何れにおいても前記確定演出を実行可能であ」ることに相当する。
（ｈ２）引用発明１の「ｈ１、ｈ２　完全先告知モードがオンにされている場合であって、当否決定部６１により当否判定された抽選結果が大当たりであった場合、その大当たりを告知」することは、大当たりを１００％の割合で告知することであるのに対し、「完全先告知モードがオフであっても、抽選結果が大当たりであった場合に、その大当たりを告知するか否かをランダムに決定し、その決定の結果に応じて大当たりを強制的に告知する」ことは、大当たりを１００％より低い割合で告知することといえ、両者は異なる実行割合で告知演出を実行可能であるといえる。
　したがって、引用発明１は、本願補正発明の「Ｈ２　前記演出モード設定手段によって前記第１演出モードに設定されている場合と、前記第２演出モードに設定されている場合とで異なる実行割合で前記確定演出を実行可能であ」る機能を有するといえる。
（ｉ１）引用発明１の「ｆ、ｉ１　前記図柄表示装置２６において、現在変動表示中の図柄が大当たりとなる旨を示唆する告知画像１０６を表示し、その表示に合わせて特別な効果音をスピーカ１０４から出力し、告知ランプ１０２を点滅させる、３通りの告知手段」は、互いに異なる演出といえるから、これらのうちの２つの告知手段は、本願補正発明の「Ｉ１　第１確定演出と、当該第１確定演出とは異なる第２確定演出」に相当する。
　したがって、引用発明１の「ｆ、ｉ１　前記図柄表示装置２６において、現在変動表示中の図柄が大当たりとなる旨を示唆する告知画像１０６を表示し、その表示に合わせて特別な効果音をスピーカ１０４から出力し、告知ランプ１０２を点滅させる、３通りの告知手段のうちいくつかの手段を合わせて、抽選結果が大当たりである旨を遊技者に告知する」ことは、本願補正発明の「Ｉ１　第１確定演出と、当該第１確定演出とは異なる第２確定演出と、を含」むことに相当する。
　そうすると、両者は、 
「Ａ　通常遊技状態又は通常遊技状態より遊技者に有利な有利遊技状態の何れかの遊技状態に制御される遊技機において、
Ｂ　判定条件の成立に基づき遊技者に所定の利益を付与する特別遊技を行うか否かの特別遊技判定を実行する特別遊技判定手段と、
Ｃ　表示手段において複数の識別図柄の変動表示を行った後に当該特別遊技判定の判定結果を示す停止態様で当該複数の識別図柄を停止表示させる変動演出を行う演出制御手段と、
Ｄ　演出モードを設定する演出モード設定手段と、を備え、
Ｅ　前記演出モードは、
　　第１演出モードと、当該第１演出モードとは異なる第２演出モードと、を含み、
Ｆ　前記変動演出中に実行される演出には、前記識別図柄の停止表示を行う前に実行する前記特別遊技の実行の確定を告知する確定演出が含まれ、
Ｇ　前記第１演出モードと前記第２演出モードとは、同一の遊技状態であり、
Ｈ　前記演出制御手段は、
Ｈ１　前記演出モード設定手段によって前記第１演出モードに設定されている場合、及び、前記第２演出モードに設定されている場合の何れにおいても前記確定演出を実行可能であり、
Ｈ２　前記演出モード設定手段によって前記第１演出モードに設定されている場合と、前記第２演出モードに設定されている場合とで異なる実行割合で前記確定演出を実行可能であり、
Ｉ　前記確定演出は、
Ｉ１　第１確定演出と、当該第１確定演出とは異なる第２確定演出と、を含む、
　遊技機。」 
である点で一致し、以下の相違点で相違する。
（相違点）
　本願補正発明は
「Ｉ２　所定のリーチ演出の実行前は、前記第１確定演出および前記第２確定演出を実行することが可能である一方、所定のリーチ演出の実行中は、前記第１確定演出を実行することが不可能であるが前記第２確定演出を実行することが可能である」のに対し、引用発明１はそのように特定されていない点。
（４）判断
　以下、相違点について検討する。
（相違点について）
　引用発明２の「特別図柄の変動開始と同時に」「発生される」「告知音」が、リーチ演出の実行中まで続かないか否か特定されていないが、パチンコ遊技機において、大当り確定予告（いわゆる一発予告）の告知音の発生時間が図柄の変動期間に比して極短時間であることは、例えば、
ア　本願の出願前に頒布された刊行物である特開２０１３−２０２３９０号公報
「【０００８】
　以下、本発明の第一実施例に係る遊技機である
ぱちんこ遊技機
「【０３５５】
　一方、聴覚的要素である上記音響演出においては、主には、画像演出に対するＢＧＭとして設定された音楽、アニメーションや装飾図柄１９０ａ〜１９０ｃの表示態様に応じた効果音、登場人物の台詞や、光装飾演出及び可動体演出に連動する効果音が、各種スピーカ１９から出力される。また、特定の光装飾演出と、特徴的な音響演出とを組み合わせた演出を、高期待度の演出として実行する場合もある。さらに、
音響演出には、相対的に極めて高い期待度で大当りを予告する
短時間（例えば１秒程度）だけ出力する
「一発告知音」
イ　本願の出願前に頒布された刊行物である特開２０１２−１３９５３２号公報
「【００２９】
　以下、本発明の実施の形態を、図面を参照して説明する。なお、遊技機の一例として
パチンコ遊技機
「【０４７１】
　前述したように、一発告知は、一発告知を実行する旨を決定した後直ちに実行する場合と、変動表示開始時まで待って実行する場合とがあり、変動表示開始時まで待って実行するときの例が図４７〜図５０に示されている。
図４７の（Ｂ）、図４８の（Ｂ）、図４９の（Ｂ）、および、図５０の（Ｂ）のそれぞれに示すように
一発告知を実行する旨の決定がされたときには、変動表示の開始時において、スピーカ２７から特定効果音が出力されることにより、一発告知が実行される
　
【図４７】の（Ｂ）、【図４８】の（Ｂ）、【図４９】の（Ｂ）、および、【図５０】の（Ｂ）のいずれからも、スピーカ２７からの「ピーコン！ピーコン！」という音の出力時間は、すべての図柄が変動中である時間のうちの変動開始直後の極短時間であることがみてとれる
に記載されているように技術常識であり、また、図柄の変動開始から一つ目の図柄が停止した後に２つ目の図柄が停止してリーチとなるまでにある程度の時間を要することも技術常識であることに鑑みれば、引用発明２の「特別図柄の変動開始と同時に」「発生される」「告知音」はリーチ演出の実行中まで続かないものと解するのが自然である。
　そうすると、引用発明２の「確変大当り確定予告（いわゆる一発告知）」、「特別図柄の変動開始と同時に」なされる「告知音」及び「特別図柄の変動開始から変動停止までの長い変動期間中（たとえば５分間）にわたって」「作動される」「回転灯５２」は、それぞれ、本願補正発明の「確定演出」、「所定のリーチ演出の実行前は」「実行することが可能である一方、所定のリーチ演出の実行中は」「実行することが不可能である」「第１確定演出」及び「所定のリーチ演出の実行前は」「実行することが可能で」「所定のリーチ演出の実行中」も「実行することが可能である」「第２確定演出」に相当する。
　したがって、引用発明２は、相違点に係る本願補正発明の構成Ｉ２を備えるものといえる。
　そして、告知手段の態様は遊技機の趣向に合わせて当業者が適宜選択し得るものであって、告知音ともに回転灯を採用して遊技者に与える視覚効果を高めて遊技の興趣を向上させるために、引用発明１のｆ、ｉ１の「告知手段」に代えて引用発明２を適用して、相違点に係る本願補正発明の構成Ｉ２に想到することは当業者が容易になし得るものである。
（効果について）
　本願補正発明の奏する作用効果は、引用発明１及び引用発明２の奏する作用効果から予測される範囲内のものにすぎず、格別顕著なものということはできない。
（まとめ）
　したがって、本願補正発明は、引用発明１及び引用発明２に基づいて、当業者が容易に発明をすることができたものであり、特許法第２９条第２項の規定により、特許出願の際独立して特許を受けることができないものである。
（請求人の主張について）
　請求人は、平成３０年３月５日の意見書において、本願補正発明では、所定のリーチ演出の実行前は、第１確定演出および第２確定演出を実行することが可能である一方、所定のリーチ演出の実行中は、第１確定演出を実行することが不可能であるが第２確定演出を実行することが可能であるのに対し、引用文献１には、「遊技者が完全先告知モードをオンした場合、パチンコ遊技機１０は、図柄表示装置２６への表示、告知ランプ１０２の点灯、スピーカ１０４からの音声出力のいずれかを用いて、抽選結果が大当たりである旨を遊技者に告知する。」と記載されていることから、確定演出が複数ある点では、本願補正発明と一致しているが、複数ある確定演出の一方が実行不可能であり、他方が実行可能であるタイミング等の記載がなく、この相違点を有する本願補正発明は、遊技者が注目する演出であるリーチ演出において複数の確定演出を実行しないようにすることで、演出が乱雑になってしまうことを防止することができると共に、単調になりがちなリーチ演出の実行前において複数の確定演出を実行可能とすることで、適度に演出を盛り上げることができ、遊技の興趣が向上するとの効果を奏するから、本願補正発明は、拒絶理由を解消したものであり、引用文献１を参照した当業者であっても容易に想到できない旨主張する。 
　しかしながら、上記（相違点について）で検討したように、告知手段の態様は遊技機の趣向に合わせて当業者が適宜選択し得るものであって、告知音ともに回転灯を採用して遊技者に与える視覚効果を高めて遊技の興趣を向上させるために、引用発明１のｆ、ｉ１の「告知手段」に代えて引用発明２を適用して、相違点に係る本願補正発明の構成Ｉ２に想到することは当業者が容易になし得るものである。
　したがって、請求人の主張は採用できない。
（５）本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項１に係る発明は、平成２９年１２月１４日にされた手続補正により補正された特許請求の範囲の請求項１に記載された事項により特定されるものであるところ、その請求項１に係る発明（以下「本願発明」という。）は、前記第２［理由］１の（本件補正前）に記載のとおりのものである。
２　当審による拒絶の理由
　当審による平成２９年１２月２６日付けの最後の拒絶の理由は、
１．（新規性）この出願の請求項１に係る発明は、その出願前に頒布された以下のいずれかの引用例に記載された発明であるから、特許法第２９条第１項第３号に該当し、特許を受けることができない。
２．（進歩性）この出願の請求項１に係る発明は、その出願前に頒布された以下のいずれかの引用例に記載された発明に基づいて、その出願前にその発明の属する技術の分野における通常の知識を有する者が容易に発明をすることができたものであるから，特許法第２９条第２項の規定により特許を受けることができない、
というものである。
　引用例１：特開２００５−１３１２９７号公報
　引用例２：特開２０１２−１１５３５４号公報
　引用例３：特開２０１５−５４１９７号公報
３　引用文献 
　原査定の拒絶の理由で引用された引用文献１（引用例１）の記載事項は、前記第２［理由］２（２）に記載したとおりである。
４　対比・判断 
　本願発明は、前記第２の［理由］２で検討した本願補正発明の発明特定事項である「確定演出」に関して、「Ｉ　前記確定演出は、Ｉ１　第１確定演出と、当該第１確定演出とは異なる第２確定演出と、を含み、Ｉ２　所定のリーチ演出の実行前は、前記第１確定演出および前記第２確定演出を実行することが可能である一方、所定のリーチ演出の実行中は、前記第１確定演出を実行することが不可能であるが前記第２確定演出を実行することが可能である」という限定事項を削除したものである。
　そうすると、本願発明と引用発明１を対比すると、前記第２［理由］２（３）に記載した（相違点）は生じず、本願発明と引用発明とは一致する。
　したがって、本願発明は、引用文献１に記載された発明であるから、特許法第２９条第１項第３号に該当し、特許を受けることができない。
　仮に、本願発明と引用発明１とに相違点があったとしても、本願発明は、引用発明１に基づいて当業者が容易に発明をすることができたものであるから、特許法第２９条第２項の規定により、特許を受けることができない。
第４　むすび
　以上のとおり、本願発明は特許法第２９条第１項第３号または同条第２項の規定により特許を受けることができないから、本願は拒絶されるべきものである。
　よって、結論のとおり審決する。